(57)【要約】【課題】配信対象エリア内にグループを形成する移動端末がいなくなった場合でも配信を継続して行うことを目的とする。【解決手段】情報が転送されていく間に配信エリアを日常的に利用しているユーザの移動端末を発見し、該移動端末内に配信したい情報を保存しておくようにしたもので、これにより該移動端末が配信エリアを離れた後でも、該移動端末が再度配信エリアに入った際に保存しておいた情報を用いて再度配信を開始することができる。【選択図】図３
2006173873.tif 000002
【特許請求の範囲】
【請求項１】
配信エリア情報を含むコンテンツを無線通信により受信する受信部と、現在の位置情報を取得する位置情報取得部と、前記コンテンツの配信エリア情報と前記現在位置情報を比較して配信エリア内か否かを判断する配信エリア確認部と、前記コンテンツが配信エリア内である場合は前記受信したコンテンツは予め登録してあるキーワードから表示及び転送するかを判断するフィルタ部と、前記コンテンツの配信エリアとどのくらい深い関係があるかを位置依存度として判断する位置依存度判定部と、前記位置依存度が強いと判断したコンテンツは位置依存コンテンツとして保存する位置依存コンテンツ保持部と、前記現在位置が前記位置依存コンテンツの配信エリアかを判定し、再送信の指示を出す再送信制御部と、転送または再送信の指示を受けた前記コンテンツを送信する送信部とを備えることを特徴とする情報発信装置。
【請求項２】
前記位置依存度は、ユーザの過去の行動履歴をもとに位置依存度を判断することを特徴とする請求項１記載の情報発信装置。
【請求項３】
前記位置依存度は、予め登録された位置情報をもとに位置依存度を判断することを特徴とする請求項１記載の情報発信装置。
【請求項４】
前記位置依存度は、任意の時間周期毎の位置情報を行動履歴として記録し、配信エリア内の位置情報の数量で決定することを特徴とする請求項２記載の情報発信装置。
【請求項５】
前記位置依存コンテンツは、位置依存度の値に応じて位置依存コンテンツの保持時間を決めることを特徴とする請求項１記載の情報発信装置。
【請求項６】
配信エリア情報を含むコンテンツを無線通信により受信するステップと、現在の位置情報を取得するステップと、前記コンテンツの配信エリア情報と前記現在位置情報を比較して配信エリア内か否かを判断するステップと、前記コンテンツが配信エリア内である場合は前記受信したコンテンツは予め登録してあるキーワードから表示及び転送するかを判断するステップと、前記コンテンツの配信エリアとどのくらい深い関係があるかを位置依存度として判断するステップと、前記位置依存度が強いと判断したコンテンツは位置依存コンテンツとして保存するステップと、前記表示すると判断されたコンテンツを表示するステップと、前記現在位置が前記位置依存コンテンツの配信エリアかを判定し、再送信の指示を出すステップと、転送または再送信の指示を受けた前記コンテンツを送信するステップとを備えることを特徴とする情報発信方法。
【発明の詳細な説明】
【技術分野】
【０００１】
本発明はユーザが位置に関連した情報を限定された範囲内にいる人を対象として自由に発信することを可能にする情報発信装置および情報発信方法に関するものである。
【背景技術】
【０００２】
従来例としては、近距離無線を利用した地域広告情報配信システムがある（例えば、特許文献１）。このシステムでは、Bluetoothや無線LANなどの近距離無線を利用してサーバ周辺の移動端末に向けて広告情報のデータを配信する。また、サーバから広告データを受信した移動端末は、アドホック通信により、さらに周りの移動端末に広告データを配信する。こうすることにより、サーバから届かない範囲にいる移動端末にも広告データを配信することが可能になる。アドホック通信により転送される広告データは、転送できる回数やデータが有効な時間が定められており、これによりサーバからあまり離れた位置へデータが配信されることを防ぐ。
【０００３】
また、グループを形成してグループ通信を行い、グループ内で位置に応じた情報やユーザの興味のある情報などをやりとりできるシステムもある（例えば、特許文献２）。移動端末に設定されたメンバ属性（ユーザの興味や、現在位置情報など）がグループに設定されたグループ属性に合致した場合に、その移動端末がグループに登録される。例えば、グループ属性として「ガソリン販売」、メンバ属性として「ガソリン供給」を設定した場合、メンバはガソリンスタンドのCMの広告配信のグループに登録され、ガソリンスタンドの広告情報を得ることができる。メンバ属性が変化して、グループの属性に合致しなくなった場合は、グループから削除される。例えば、メンバ属性として、移動端末の現在位置を用いた場合で、グループ属性が情報配信を配信する範囲を表していて、移動端末が移動し配信範囲の外に出た場合はグループから削除される。こうすることにより、メンバの興味のある情報や、メンバと関係の深い情報だけを配信するグループを形成し、情報をやりとりする。このシステムの中でメンバ属性として、位置の情報を設定すれば、位置に応じた情報配信を行うことが可能になる。
【特許文献１】特開２００３−１６３４７号公報
【特許文献２】特開２００１−３４６２６７号公報
【発明の開示】
【発明が解決しようとする課題】
【０００４】
しかし、特許文献１のシステムでは配信エリア内にサーバが必要なので、コストがかかるとともに、サーバがない場所ではユーザは情報発信を行うことができない。特許文献２のシステムを用いれば、サーバが必要ないのでユーザはどこでも好きな場所で情報発信を行うことができる。しかし、配信対象エリア内にグループを形成する移動端末がいなくなった時点で情報の転送は途切れてしまい、配信を継続することが不可能になる。そのため、位置に依存したコンテンツを配信し続けたいユーザは、その場にい続けるか、定期的にその場所を訪れなければならない。そのため、普段行かない様な場所（旅先など）にコンテンツを残してくることはできない。
【０００５】
本発明は、配信対象エリア内にグループを形成する移動端末がいなくなった場合でも配信を継続して行うことを目的とする。
【課題を解決するための手段】
【０００６】
本発明では、従来の課題を解決するために、情報が転送されていく間に配信エリアを日常的に利用しているユーザの移動端末を発見し、前記移動端末内に配信したい情報を保存しておくようにしたもので、これにより前記移動端末が配信エリアを離れた後でも、前記移動端末が再度配信エリアに入った際に保存しておいた情報を用いて再度配信を開始することにより課題を解決する。
【発明の効果】
【０００７】
本発明によれば、ユーザが好きな時に好きな場所で情報発信を行うことが可能であり、また、配信エリアに一時的に情報を発信する移動端末がいなくなった場合でも、その後移動端末が戻ってきた場合に継続して情報配信を行うことが可能になる。
【発明を実施するための最良の形態】
【０００８】
本発明の第１の態様は、配信エリア情報を含むコンテンツを無線通信により受信する受信部と、現在の位置情報を取得する位置情報取得部と、前記コンテンツの配信エリア情報と前記現在位置情報を比較して配信エリア内か否かを判断する配信エリア確認部と、前記コンテンツが配信エリア内である場合は前記受信したコンテンツは予め登録してあるキーワードから表示及び転送するかを判断するフィルタ部と、前記コンテンツの配信エリアとどのくらい深い関係があるかを位置依存度として判断する位置依存度判定部と、前記位置依存度が強いと判断したコンテンツは位置依存コンテンツとして保存する位置依存コンテンツ保持部と、前記フィルタ部で表示すると判断されたコンテンツを表示する表示部と、前記現在位置が前記位置依存コンテンツの配信エリアかを判定し、再送信の指示を出す再送信制御部と、転送または再送信の指示を受けた前記コンテンツを送信する送信部とを備える構成とした。
【０００９】
これにより、移動端末が配信エリアを離れた後でも、移動端末が再度配信エリアに入った際に保存しておいた情報を用いて再度配信を開始することができる。
【００１０】
本発明の第２の態様は、第１の態様の情報発信装置において、前記位置依存度は、ユーザの過去の行動履歴をもとに位置依存度を判断するように構成した。これにより、位置依存度を自動的に計測することができる。
【００１１】
本発明の第３の態様は、第１の態様の情報発信装置において、前記位置依存度は、予め登録された位置情報をもとに位置依存度を判断するように構成した。これにより、ユーザが立ち寄る頻度に縛られることなく、ユーザの意志によって任意に決めることができる。
【００１２】
本発明の第４の態様は、第２の態様の情報発信装置において、前記位置依存度は、任意の時間周期毎の位置情報を行動履歴として記録し、配信エリア内の位置情報の数量で決定するもので、位置依存度をユーザの行動履歴により自動的に計測することができる。
【００１３】
本発明の第５の態様は、第１の態様の情報発信装置において、前記位置依存コンテンツは、位置依存度の値に応じて位置依存コンテンツの保持時間を決めるもので、位置依存コンテンツ保持部を有効的に活用することができる。
【００１４】
本発明の第６の態様は、配信エリア情報を含むコンテンツを無線通信により受信するステップと、現在の位置情報を取得するステップと、前記コンテンツの配信エリア情報と前記現在位置情報を比較して配信エリア内か否かを判断するステップと、前記コンテンツが配信エリア内である場合は前記受信したコンテンツは予め登録してあるキーワードから表示及び転送するかを判断するステップと、前記コンテンツの配信エリアとどのくらい深い関係があるかを位置依存度として判断するステップと、前記位置依存度が強いと判断したコンテンツは位置依存コンテンツとして保存するステップと、前記表示すると判断されたコンテンツを表示するステップと、前記現在位置が前記位置依存コンテンツの配信エリアかを判定し、再送信の指示を出すステップと、転送または再送信の指示を受けた前記コンテンツを送信するステップとを備える構成とした。
【００１５】
これにより、移動端末が配信エリアを離れた後でも、移動端末が再度配信エリアに入った際に保存しておいた情報を用いて再度配信を開始することができる。
【００１６】
以下、本発明の実施の形態について、図面を参照しながら説明する。
【００１７】
（実施の形態１）
本発明の実施の形態１の地域広告情報配信システムの概念を図１，図２に示し、以下に説明する。本実施の形態では、移動端末１０１を持ったユーザ１０２がレストラン１００で食事をし、自分が食べておいしいと思ったレストラン１００の情報を、レストラン１００近辺にいる人たちに勧める場合について考える。
【００１８】
ユーザ１０２は、移動端末１０１を使い、レストラン１００の周辺である位置（ｘ1、ｙ1）（緯度ｘ1、経度ｙ1）及び位置（ｘ2、ｙ2）（緯度ｘ2、経度ｙ2）の2点を二頂点として緯度方向・経度方向に平行な線からなる矩形のエリア１０３を設定し、「イタリアンレストラン」というジャンルを指定して情報データ１０４を、近距離無線を用いて周囲の移動端末にブロードキャストする。
【００１９】
移動端末１０５は、移動端末１０１からのレストラン１００の情報データを受信する。移動端末１０５は、情報データ１０４に指定されている有効範囲であるエリア１０３を確認し、移動端末１０５がエリア１０３内にいることを確認する。移動端末１０５の所有者であるユーザ１０６は、おいしいイタリア料理のお店を探していたため、移動端末に「イタリアンレストラン」というジャンルを登録していたとする。移動端末１０５は、受信した情報データ１０４のジャンルが移動端末１０５に設定されている「イタリアンレストラン」というジャンルと一致するので、蓄積、及び、ユーザ１０６への提示を行う。ユーザ１０６への提示は、受信と同時に行っても構わないし、ユーザ１０６が選択した時に行っても構わない。
【００２０】
次に、移動端末１０５は、ユーザ１０６のエリア１０３に対する位置依存度を確認する。ここで言う、「位置依存度」とは、ユーザ１０６がどの程度の頻度でエリア１０３を訪れているかという事を表す。ユーザ１０６が頻繁にエリア１０３に訪れているならば、ユーザ１０６のエリア１０３に対する位置依存度は高く、ユーザ１０６が初めて、もしくは、ほとんどエリア１０３内に来た事がない場合、ユーザ１０６のエリア１０３に対する位置依存度は低いということになる。位置依存度の詳しい決定方法に関しては、後述する。ここでは、ユーザ１０６はエリア１０３に対して位置依存度が低かったとする。この場合、移動端末１０５は、次に情報データ１０４をブロードキャストする。ユーザ１０８が所有する移動端末１０７は、移動端末１０５より情報データ１０４を受信する。
【００２１】
移動端末１０７は、情報データ１０４の有効範囲であるエリア１０３と移動端末１０７の現在位置を比較し、移動端末１０７がエリア１０３内にいることを確認し、情報データ１０４が有効であると判断する。しかし、ユーザ１０８は、イタリアンレストランに興味がなかったので移動端末１０７には、「イタリアンレストラン」というジャンルは設定されていなかったとする。そのため、情報データ１０４は、移動端末１０７において、蓄積、及び、提示されない。次に、移動端末１０７は、ユーザ１０８のエリア１０３に対する位置依存度を確認する。ここでは、ユーザ１０８はエリア１０３内のお店に勤めているとして、日常的にエリア１０３に来ているとする。したがって、ユーザ１０８のエリア１０３に対する位置依存度は非常に高い。この場合、移動端末１０７は、情報データ１０４を保存する。次に、移動端末１０７は、情報データ１０４を他の移動端末にブロードキャストする。
【００２２】
ユーザ１１０が所有する移動端末１０９は、移動端末１０７より情報データ１０４を受信する。移動端末１０９は、情報データ１０４の有効範囲であるエリア１０３と移動端末１０９の現在位置を比較し、移動端末１０９がエリア１０３の外にいることを確認し、情報データ１０４が無効であると判断する。この場合、移動端末１０９は、情報データ１０４を削除する。この様にして、ユーザ１０２は限られた範囲にいる人を対象にした情報配信を自由に行うことができる。
【００２３】
次に、時間が経ち夜になり、エリア１０３に誰もいなくなったとする。その後、更に時間が経過し、次の日の朝になったとする。ユーザ１０８は、エリア１０３内のお店に勤めているので、朝になってまたエリア１０３を訪れた様子を図２に示す。ユーザ１０８所有の移動端末１０７は、エリア１０３に入るとエリア１０３に入ったことを感知し、エリア１０３に関連したデータである情報データ１０４を再度ブロードキャストする。移動端末１１１は、情報データ１０４を受信し、転送を行う。この様にして、情報データ１０４は次の日もエリア１０３に配信される。
【００２４】
次に、本発明の移動端末について、図３を用いて詳しく説明する。図３は移動端末の機能構成ブロックを示した図である。移動端末は、データを受信する受信部２０１、受信したデータが有効か無効かを判断する配信エリア確認部２０２、受信したデータをユーザに提示すべきかどうかを判断するフィルタ部２０３、受信したデータを提示する提示部２０４、受信したデータを蓄積するキャッシュ部２０５、受信したデータに対する位置依存度を決定する位置依存度確認部２０６、位置依存度の高かったデータを保存する位置依存データ保存部２０７、受信したデータを送信する送信部２０８と、移動端末の現在位置情報を取得する位置情報取得部２０９と、現在位置と位置依存データの有効範囲を比較し、移動端末が再度配信エリアに入ったと確認すれば再送信を行う再送信制御部２１０からなる。
【００２５】
次に、以上のように構成された移動端末が情報データを受信した際の動作について図４を用いて説明する。図４は、移動端末が情報データを受信した際の動作を示すフローチャートである。
【００２６】
情報データ１０４は受信部２０１により受信される。受信部２０１は、受信した情報データ１０４を配信エリア確認部２０２に送る。配信エリア確認部２０２は、移動端末の現在位置が情報データ１０４の配信エリア内にあるかどうか確認し、移動端末が情報データ１０４の配信エリア内にいればフィルタ部２０３に送り（ステップ３０１）、移動端末が情報データ１０４の配信エリア外にいれば削除する（ステップ３０２）。
【００２７】
配信エリア確認部２０２から情報データ１０４を受け取ったフィルタ部２０３は、情報データ１０４が移動端末に設定されているジャンル等のキーワードと一致するかどうかを確認し、一致していなければステップ３０６に進む（ステップ３０６）。一致した場合、フィルタ部２０３は情報データ１０４をキャッシュ部２０５に保存する（ステップ３０４）。
【００２８】
次にフィルタ部２０３は、情報データ１０４を提示部２０４に送る。提示部２０４は、情報データ１０４をユーザに提示する（ステップ３０５）。提示の仕方は、情報データ１０４に応じて、ディスプレイに表示しても構わないし、音声としてスピーカやヘッドフォンなどを用いて再生しても構わない。
【００２９】
次に、情報データ１０４を位置依存度確認部２０６に送る。情報データ１０４のジャンルが移動端末に設定されているジャンルと一致しない場合、フィルタ部２０３は情報データ１０４を位置依存度確認部２０６に送る。フィルタ部２０３から情報データ１０４を受け取った位置依存度確認部２０６は、移動端末の、情報データ１０４に設定されている配信エリアに対する位置依存度を確認する（ステップ３０６）。位置依存度確認部２０６は、移動端末の、情報データ１０４に設定されている配信エリアに対する位置依存度が高いと判断した場合、情報データ１０４を位置依存データ保持部２０７に保存する（ステップ３０７）。移動端末の、情報データ１０４に設定されている配信エリアに対する位置依存度が低いと判断した場合は、特に何も行わないでステップ３０８に進む。位置依存度確認部２０６の動作については、後で詳しく説明する。
【００３０】
次に、フィルタ部２０３は、情報データ１０４を送信部２０８に送る。フィルタ部２０３から情報データ１０４を受け取った送信部２０８は、情報データ１０４をブロードキャストする（ステップ３０８）。
【００３１】
次に、移動端末が情報データの配信エリアの外から、配信エリア内に移動した場合の動作について説明する。図５は、移動端末が情報データの配信エリア外から配信エリア内に移動した場合の動作を示すフローチャートである。
【００３２】
移動端末は、ある一定間隔で位置情報取得部２０９から移動端末の現在位置を取得している。位置情報取得部２０９は、移動端末の現在位置情報を再送信制御部２１０に送る。なお、位置情報取得部２０９は、ＧＰＳ等を用いて移動端末の現在位置を取得する。
【００３３】
再送信制御部２１０は、位置依存データ２０７に保存されている全ての位置依存データの配信エリアを順に確認する（ステップ４０１）。位置依存データの配信エリアと位置情報取得部２０９から取得した移動端末の現在位置情報とを比較して、移動端末がある位置依存データの配信エリア内に入った場合、再送信制御部２１０は、該位置依存データを送信部２０８に送る（ステップ４０２）。再送信制御部２１０の動作については、後で詳しく説明する。送信部２０８は、再送信制御部２１０から受け取った位置依存データをブロードキャストする（ステップ４０３）。
【００３４】
次に、位置依存度確認部２０６の動作について説明する。フィルタ部２０３から情報データ１０４を受信した位置依存度確認部２０６は、移動端末の行動履歴と比較する。ここで、行動履歴とは、移動端末の現在位置をある周期で保存したものとする。行動履歴の例を図６に示す。図６の行動履歴の例では、任意の周期毎に時刻６０１と位置情報６０２を記録した例を示している。
【００３５】
位置依存度確認部２０６は、行動履歴に含まれる位置情報６０２の内、情報データ１０４に設定されている配信エリア内の位置情報６０２がいくつ登録されているかを確認する。図６を確認すると、ここでは、４３個の位置情報６０２が配信エリア内にあったとする。この位置情報６０２の個数が閾値を超えていれば、移動端末の、情報データ１０４に設定されている配信エリアに対する位置依存度は高いと判断し、閾値を超えていなければ、移動端末の情報データ１０４に設定されている配信エリアに対する位置依存度は低いと判断する。位置依存度が高いと判断した場合、位置依存度確認部２０６は、情報データ１０４を位置依存データ保持部２０７に保存する。ここでは、閾値は３０であるとする。
【００３６】
移動端末の行動履歴内の座標の内、情報データ１０４に設定されている配信エリア内の座標は全部で４３個なので、情報データ１０４に設定されている配信エリアに対して位置依存度が高いと判断し、位置依存度確認部２０６は情報データ１０４を位置依存データ保持部２０７に保存する。ここでは、位置依存度の判断を過去の行動履歴（緯度・経度情報）をもとに行ったが、手動で位置依存度の高い場所を登録しておいても構わない。
【００３７】
次に、再送信制御部２１０の動作について説明する。図７は、位置依存データ保持部２０７に保存されている位置依存データのリストである。図７に示す位置依存データの例としては、タイトル７０１，ジャンル７０２と配信エリア７０３から構成される。
【００３８】
再送信制御部２１０は、位置依存データ保持部２０７に保存されている位置依存データを順次確認していく。ここでは、移動端末の現在位置は、(35.25.61, 139.39.18)だとする。まず、再送信制御部２１０は、位置依存データ保持部２０７に格納されているデータのうち、「丘から見た夕日」のデータについて確認する。この位置依存データの配信エリアは座標(35.26.05, 139.38.16)と座標(35.26.58, 139.39.20)を二頂点とする矩形の中である。移動端末の現在位置は、(35.25.61, 139.39.18)なので、「丘から見た夕日」の配信エリア内ではないので、このデータの再送信は行わない。次に、再送信制御部２１０は、「パスタのおいしいお店紹介します」の配信エリアを確認する。この位置依存データの配信エリアは座標(35.25.55, 139.39.03)と座標(35.26.25, 139.39.33)を二頂点とする矩形の中である。移動端末の現在位置は(35.25.61, 139.39.18)なので、「パスタのおいしいお店紹介します」の配信エリア内にいる。そこで、再送信制御部２１０は、「パスタのおいしいお店紹介します」の情報データを位置依存データ保持部２０７から送信部２０８に送る。
【００３９】
なお、位置依存コンテンツの保持時間は、位置依存度の値に応じて位置依存コンテンツの保持時間を決めても良く、位置依存度の値に比例して保持時間を長くまたは短くしても良い。
【００４０】
以上説明したように、本発明は情報が転送されていく間に配信エリアを日常的に利用しているユーザの移動端末を発見し、移動端末内に配信したい情報を保存しておくようにしたもので、これにより移動端末が配信エリアを離れた後でも、移動端末が再度配信エリアに入った際に保存しておいた情報を用いて再度配信を開始することができる。
【産業上の利用可能性】
【００４１】
本発明にかかる情報発信装置は、アドホック通信等により移動端末が配信エリアを離れた後でも、移動端末が再度配信エリアに入った際に保存しておいた情報を用いて再度配信を開始することができるという特徴を有し、近距離無線を利用した地域広告情報配信システム等として有用である。
【図面の簡単な説明】
【００４２】
【図１】本発明の実施の形態１における地域広告情報配信システムの概念を説明する図
【図２】本発明の実施の形態１における地域広告情報配信システムの再配信を説明する図
【図３】本発明の実施の形態１における移動端末の構成図
【図４】本発明の実施の形態１における移動端末の情報データの受信動作を示すフローチャート
【図５】本発明の実施の形態１における移動端末が配信エリア外から配信エリア内に移動した場合の動作を示すフローチャート
【図６】本発明の実施の形態１における行動履歴の例を示す図
【図７】本発明の実施の形態１における位置依存データのリストの例を示す図
【符号の説明】
【００４３】
１００    レストラン
１０１，１０５，１０７，１０９    移動端末
１０２，１０６，１０８，１１０    ユーザ
１０３    配信エリア
１１１    配信エリア座標位置（ｘ１，ｙ１）
１１２    配信エリア座標位置（ｘ２，ｙ２）
２０１    受信部
２０２    配信エリア確認部
２０３    フィルタ部
２０４    表示部
２０５    キャッシュ部
２０６    位置依存度確認部
２０７    位置依存データ保持部
２０８    送信部
２０９    位置情報取得部
２１０    再送信制御部
【図１】
2006173873.tif 000003
【図２】
2006173873.tif 000004
【図３】
2006173873.tif 000005
【図４】
2006173873.tif 000006
【図５】
2006173873.tif 000007
【図６】
2006173873.tif 000008
【図７】
2006173873.tif 000009